(57)【特許請求の範囲】
【請求項１】
電力系統を構成する各設備機器の監視制御部と、上記各設備機器に対する制御要求を上記監視制御部へ送信すると共に、該監視制御部から上記各設備機器の情報（以下、電力系統情報と称す）を取り込み、データ編集を施した後、電力設備データベースに保持して、監視・制御情報として用いる情報処理部とを備えた電力系統監視制御装置において、上記電力系統情報で監視・制御情報としての適／不適を上記設備機器の種別で区分し、当該不適となる設備機器の種別を外部から設定する手段と、該設定情報に基づいて作成され、上記各設備機器にそれぞれ適／不適フラグを対応させた対応ファイルと、上記監視制御部から取り込んだ上記電力系統情報を上記データ編集に先立って、上記対応ファイルを参照して不適なものを削除するデータ削除チェック手段とを上記情報処理部に備え、監視・制御情報に適する電力系統情報のみ上記電力設備データベースに保持することを特徴とする電力系統監視制御装置。
【請求項２】
電力系統を構成する各設備機器の監視制御部と、上記各設備機器に対する制御要求を上記監視制御部へ送信すると共に、該監視制御部から上記各設備機器の情報（以下、電力系統情報と称す）を取り込み、データ編集を施した後、電力設備データベースに保持して、監視・制御情報として用いる情報処理部とを備えた電力系統監視制御装置において、通常モード／テストモードの２種の動作モードと、上記電力系統情報で監視・制御情報としての適／不適を上記設備機器の種別で区分し、当該不適となる設備機器の種別を外部から設定する第１の設定手段と、上記電力系統情報のテストデータを上記設備機器の種別で外部から設定する第２の設定手段と、上記通常モードの時には、上記第１の設定手段による設定情報に基づいて上記各設備機器にそれぞれ適／不適フラグを対応させ、上記テストモードの時には、上記第２の設定手段に基づいて上記各設備機器にそれぞれテストデータか否かのフラグを対応させて作成した対応ファイルと、上記監視制御部から取り込んだ上記電力系統情報を上記データ編集に先立って、上記対応ファイルを参照して削除するデータ削除チェック手段とを上記情報処理部に備え、通常モードでは監視・制御情報に適する電力系統情報のみ上記電力設備データベースに保持し、テストモードでは、テストデータである電力系統情報のみ上記電力設備データベースに保持することを特徴とする電力系統監視制御装置。
【請求項３】
各動作モード時に作成された対応ファイルにおいて、適／不適フラグとテストデータか否かのフラグとを、共に有効／無効を示す同種のフラグで表し、データ削除チェック手段は、動作モードに拘わらず上記対応ファイルを参照して無効フラグに対応する電力系統情報を削除することを特徴とする請求項２記載の電力系統監視制御装置。
【請求項４】
情報処理部の基本ソフトがリレーショナルデータベース機能を有し、監視制御部から取り込んだ電力系統情報の編集待ちファイルと、各設備機器にそれぞれフラグを対応させた対応ファイルとを、上記リレーショナルデータベースのＪＯＩＮ機能により組み合わせた編集待ちファイル−フラグＶiewを備え、データ削除チェック手段は該編集待ちファイル−フラグＶiewに対して操作することで所望の電力系統情報を削除することを特徴とする請求項１〜３のいずれかに記載の電力系統監視制御装置。
【請求項５】
情報処理部の基本ソフトがリレーショナルデータベース機能を有し、該リレーショナルデータベースのＪＯＩＮ機能およびフィルタリング機能により、監視制御部から取り込んだ電力系統情報の編集待ちファイルと、各設備機器にそれぞれフラグを対応させた対応ファイルとから、編集待ち正常データファイルおよび削除データファイルを作成して備え、データ削除チェック手段は該削除データファイル内を全て削除することで所望の電力系統情報を削除することを特徴とする請求項１〜３のいずれかに記載の電力系統監視制御装置。
【請求項６】
電力系統を構成する各設備機器の監視制御部と、上記各設備機器に対する制御要求を上記監視制御部へ送信すると共に、該監視制御部から上記各設備機器の情報（以下、電力系統情報と称す）を取り込み、データ編集を施した後、電力設備データベースに保持して、監視・制御情報として用いる情報処理部とを備えた電力系統監視制御装置において、上記電力系統情報で監視・制御情報としての適／不適を上記設備機器の種別で区分し、当該不適となる設備機器の種別を外部から設定する手段と、該設定情報に基づいて作成され、上記各設備機器にそれぞれ適／不適フラグを対応させた対応ファイルと、該対応ファイル、および上記監視制御部から取り込んだ上記電力系統情報の編集待ちファイルから、基本ソフトが有するリレーショナルデータベースのＪＯＩＮ機能およびフィルタリング機能により作成された、編集待ち正常データファイルおよび削除データファイルとを上記情報処理部に備え、該編集待ち正常データファイル内の電力系統情報のみ上記データ編集を施して上記電力設備データベースに保持することを特徴とする電力系統監視制御装置。
【発明の詳細な説明】
【０００１】
【発明の属する技術分野】
この発明は、電力系統の状態情報を取込み、それらの情報に基づいて電力系統の設備・機器の監視・制御を行う電力系統監視制御装置に関するものである。
【０００２】
【従来の技術】
従来の電力系統監視制御装置は、通常シンボルで模擬した電力系統を画面表示するＣＲＴ表示装置（以下、ＣＲＴと称す）と電力系統の設備機器を操作する信号を入力する操作卓を備えており、オペレータはＣＲＴおよび操作卓を用いることにより監視・制御対象とする電力系統全域の監視制御を行っている。
図１７は、例えば特開平７−９５７３６号公報に記載された電力系統監視制御装置の構成図である。
図１７に示すように、電力系統を構成する設備機器の情報である電力系統情報は遠方監視制御装置（以下ＴＣと略す）１を介して電子計算機５に伝送される。ＴＣ１は配電盤２、ＴＣ（子局）３、ＴＣ（親局）４といった幾つかの装置から構成され、それらを全て経由して電子計算機５に電力設備の情報を取込むことが可能となる。
ＴＣ１からの電力系統情報は、電子計算機５の内部に機能的に設けられるデータ取込み手段６により取込み、編集待ちデータファイル７を介してデータ編集手段８に渡り、そこで電子計算機内部コードに変換後、電力設備データベース９に保存される。その後、電力系統情報は必要に応じて操作卓１０からオペレータが要求することによりＣＲＴ１１あるいはプリンタ１２に出力される。
【０００３】
また、電力系統の各設備機器を制御する場合は、オペレータがＣＲＴ１１及び操作卓１０を用いて指示することにより、表示・制御出力手段１３にて制御信号に変換し、ＴＣ１に渡すことにより上記電力設備情報の取込みとは逆のルートでＴＣ１に制御信号を伝達して行う。
電子計算機５の内部には、操作卓１０から入力されたデータ削除対象の変電所Ｎｏ．を設定するための削除データ設定手段１４と、設定されたデータ削除対象変電所Ｎｏ．を保存するためのデータ削除対象変電所Ｎｏ．ファイル１５と、編集待ちデータファイル７に保存されたデータから、上記データ削除対象変電所に該当するデータを削除し、データ編集手段８に受け渡すためのデータ削除チェック手段１６とが備えられる。
【０００４】
ところで、遠方監視制御装置１では一般に変電所単位に伝送装置が割り当てられており、また設備の点検なども変電所単位で行われることが多いため、誤情報は変電所単位に発生する可能性が高い。このため、オペレータが操作卓１０あるいはＣＲＴ１１よりデータ削除対象の変電所Ｎｏ．を入力することによりデータ削除チェック手段１６にてデータ削除対象として認識し、編集待ちデータファイル７より誤情報を削除し、正常なデータのみ電力設備データベース９に保存する。
図１８（ａ）は操作卓１０あるいはＣＲＴ１１を用いて入力されたデータ削除対象変電所Ｎｏ．ファイル１５の保存例を示し、図１８（ｂ）はデータ取込み手段６にてＴＣ１より取込んだ電力系統情報を編集待ちデータファイル７に保存した保存例を示したものである。
【０００５】
データ削除チェック手段１６による処理を図１９のフローチャートに基づいて以下に示す。
まず、データ削除対象変電所Ｎｏ．ファイル１５に保存されているデータ削除対象変電所Ｎｏ．を１つ取り出す（ＳＴ１）。
次に、ＳＴ２において、ＳＴ１で１つ取り出したデータ削除変電所Ｎｏ．と編集待ちデータファイル７に保存されている編集待ちデータとを若い番号順に最後までチェックする。実際のチェック処理については、以降ＳＴ３〜ＳＴ５で述べる。
編集待ちデータの変電所Ｎｏ．の一致、不一致をチェックし（ＳＴ３）、変電所Ｎｏ．が一致していない場合（Ｎ）は、当該情報を削除せず、データ編集して電力設備データベース９へ保存するために、データ編集手段８に受け渡す（ＳＴ４）。またＳＴ３にて変電所Ｎｏ．が一致している場合（Ｙ）は、編集待ちデータベース７より当該情報を削除し、電力設備データベース９へ保存しない（ＳＴ５）。
以上、ＳＴ１〜ＳＴ５の処理をデータ削除対象変電所Ｎｏ．ファイル１５に設定されている全変電所について完了したか否かのチェックを行い（ＳＴ６）、完了した場合は処理を終了する。
【０００６】
このように、多量の誤情報が特定の変電所に発生した場合も当該特定の変電所Ｎｏ．を入力することで誤情報は削除される為、オペレータは正しい情報のみ確実に認識できる。
【０００７】
【発明が解決しようとする課題】
従来の電力系統監視制御装置は以上のように構成されており、電力系統情報として不適なものを削除するために、設定されたデータ削除変電所Ｎｏ．毎に編集待ちデータファイル７に保存されている編集待ちデータを全てチェックする必要がある。このため、処理フローが煩雑となり、不適な電力系統情報を効率よく削除できず、ソフトウェアの保守性も悪いものであった。
【０００８】
この発明は、上記のような問題点を解消するために成されたものであって、情報処理部に不適な情報を取り込んだ後でも、簡易な処理フローで、情報の妥当性をチェックして速やかに不適な情報を削除できると共に、ソフトウェアの保守管理性の向上した電力系統監視制御装置を提供することを目的とする。
【０００９】
【課題を解決するための手段】
この発明に係る請求項１記載の電力系統監視制御装置は、電力系統情報で監視・制御情報としての適／不適を設備機器の種別で区分し、当該不適となる設備機器の種別を外部から設定する手段を有する。また、この設定手段による設定情報に基づいて作成され、上記各設備機器にそれぞれ適／不適フラグを対応させた対応ファイルを有する。また、監視制御部から取り込んだ上記電力系統情報をデータ編集に先立って、上記対応ファイルを参照して不適なものを削除するデータ削除チェック手段を有して、監視・制御情報に適する電力系統情報のみ電力設備データベースに保持する。
【００１０】
この発明に係る請求項２記載の電力系統監視制御装置は、通常モード／テストモードの２種の動作モードを有する。また、電力系統情報で監視・制御情報としての適／不適を上記設備機器の種別で区分し、当該不適となる設備機器の種別を外部から設定する第１の設定手段と、上記電力系統情報のテストデータを上記設備機器の種別で外部から設定する第２の設定手段とを有する。また、上記通常モードの時には、上記第１の設定手段による設定情報に基づいて各設備機器にそれぞれ適／不適フラグを対応させ、上記テストモードの時には、上記第２の設定手段に基づいて各設備機器にそれぞれテストデータか否かのフラグを対応させて作成した対応ファイルを有する。また、監視制御部から取り込んだ上記電力系統情報をデータ編集に先立って、上記対応ファイルを参照して削除するデータ削除チェック手段を有して、通常モードでは監視・制御情報に適する電力系統情報のみ上記電力設備データベースに保持し、テストモードでは、テストデータである電力系統情報のみ上記電力設備データベースに保持する。
【００１１】
この発明に係る請求項３記載の電力系統監視制御装置は、請求項２において、各動作モード時に作成された対応ファイルにて、適／不適フラグとテストデータか否かのフラグとを、共に有効／無効を示す同種のフラグで表す。また、データ削除チェック手段は、動作モードに拘わらず上記対応ファイルを参照して無効フラグに対応する電力系統情報を削除する。
【００１２】
この発明に係る請求項４記載の電力系統監視制御装置は、請求項１〜３のいずれかにおいて、情報処理部の基本ソフトがリレーショナルデータベース機能を有し、監視制御部から取り込んだ電力系統情報の編集待ちファイルと、各設備機器にそれぞれフラグを対応させた対応ファイルとを、上記リレーショナルデータベースのＪＯＩＮ機能により組み合わせた編集待ちファイル−フラグＶiewを備える。また、データ削除チェック手段は該編集待ちファイル−フラグＶiewに対して操作することで所望の電力系統情報を削除する。
【００１３】
この発明に係る請求項５記載の電力系統監視制御装置は、請求項１〜３のいずれかにおいて、情報処理部の基本ソフトがリレーショナルデータベース機能を有し、該リレーショナルデータベースのＪＯＩＮ機能およびフィルタリング機能により、監視制御部から取り込んだ電力系統情報の編集待ちファイルと、各設備機器にそれぞれフラグを対応させた対応ファイルとから、編集待ち正常データファイルおよび削除データファイルを作成して備える。また、データ削除チェック手段は該削除データファイル内を全て削除することで所望の電力系統情報を削除する。
【００１４】
この発明に係る請求項６記載の電力系統監視制御装置は、電力系統情報で監視・制御情報としての適／不適を設備機器の種別で区分し、当該不適となる設備機器の種別を外部から設定する手段を有する。また、この設定手段による設定情報に基づいて作成され、上記各設備機器にそれぞれ適／不適フラグを対応させた対応ファイルを有する。また、該対応ファイル、および監視制御部から取り込んだ上記電力系統情報の編集待ちファイルから、基本ソフトが有するリレーショナルデータベースのＪＯＩＮ機能およびフィルタリング機能により作成された、編集待ち正常データファイルおよび削除データファイルとを有して、該編集待ち正常データファイル内の電力系統情報のみ上記データ編集を施して上記電力設備データベースに保持する。
【００１５】
【発明の実施の形態】
実施の形態１．
以下、この発明の実施の形態１を図について説明する。図１はこの発明の実施の形態１による電力系統監視制御装置の構成図である。
図１に示すように、電力系統監視制御装置は、通常シンボルで模擬した電力系統を画面表示するＣＲＴ１１と電力系統の設備機器を操作する信号を入力する操作卓１０を備えており、オペレータはＣＲＴ１１および操作卓１０を用いることにより監視・制御対象とする電力系統全域の監視制御を行っている。また、電力系統を構成する設備機器の情報である電力系統情報は監視制御部としての遠方監視制御装置（以下ＴＣと略す）１を介して情報処理部としての電子計算機５に伝送される。ＴＣ１は配電盤２、ＴＣ（子局）３、ＴＣ（親局）４といった幾つかの装置から構成され、それらを全て経由して電子計算機５に電力設備の情報を取込むことが可能となる。
ＴＣ１からの電力系統情報は、電子計算機５の内部に機能的に設けられるデータ取り込み手段６により取込み、編集待ちデータファイル７を介してデータ編集手段８に渡り、そこで電子計算機内部コードに変換後、電力設備データベース９に保存される。その後、電力系統情報は必要に応じて操作卓１０からオペレータが要求することによりＣＲＴ１１あるいはプリンタ１２に出力される。
【００１６】
また、電力系統の各設備機器を制御する場合は、オペレータがＣＲＴ１１及び操作卓１０を用いて指示することにより、表示・制御出力手段１３にて制御信号に変換し、ＴＣ１に渡すことにより上記電力設備情報の取込みとは逆のルートでＴＣ１に制御信号を伝達して行う。
電子計算機５の内部には、操作卓１０から入力されたデータ削除対象の変電所Ｎｏ．を設定するための削除データ設定手段１４と、設定されたデータ削除対象変電所Ｎｏ．に基づいて、全ての変電所にそれぞれ適／不適フラグとしての削除フラグを対応させた変電所Ｎｏ−削除フラグ対応ファイル２１と、編集待ちデータファイル７に保存されたデータから、上記データ削除対象変電所に該当するデータを削除し、データ編集手段８に受け渡すための削除チェック手段１６とが備えられる。
【００１７】
上述したように、遠方監視制御装置１では一般に変電所単位に伝送装置が割り当てられており、また設備の点検なども変電所単位で行われることが多いため、誤情報は変電所単位に発生する可能性が高い。このため、電力系統情報で監視・制御情報としての適／不適を設備機器の種別（この場合、変電所Ｎｏ．）で区分し、不適となる変電所Ｎｏ．をオペレータが指定することで、指定された変電所に対して発生する電力系統情報を不適な情報として削除する。
【００１８】
このような不適な電力系統情報の削除に関して、以下に詳述する。
データ取り込み手段６にて電子計算機５内に取り込まれた電力系統情報は、一旦、編集待ちデータファイル７内に保持される。例えば、伝送路の異常やオーバヒートなどの設備異常、あるいは設備の点検中などにより多量の状態変化情報（以下、状変と称す）が発生したり、異常な状変が継続して発生してＣＲＴ１１あるいはプリンタ１２に出力されると、オペレータは、異常を認識して、関係箇所に連絡などの必要な処置を施すと共に、操作卓１０（あるいはＣＲＴ１１）よりデータ削除対象の変電所Ｎｏ．を入力する。オペレータからの入力により、データ削除対象の変電所Ｎｏ．は削除データ設定手段１４にて設定され、この設定情報に基づいて、全ての変電所Ｎｏ．にそれぞれ適／不適フラグとしての削除フラグを対応させた変電所Ｎｏ−削除フラグ対応ファイル２１が作成される。
【００１９】
図２（ａ）は操作卓１０を用いて入力されたデータ削除対象の変電所Ｎｏ．に基づいて作成された変電所Ｎｏ−削除フラグ対応ファイル２１の保存例を示すもので、データ削除対象の変電所Ｎｏ．には削除フラグの”１”が対応し、その他の変電所Ｎｏ．には削除フラグの”０”が対応する。図２（ｂ）は、データ取り込み手段６にてＴＣ１より取込んだ電力系統情報を編集待ちデータファイル７に保存した保存例を示したもので、電力設備の状変毎にその状変が発生した変電所Ｎｏ．、状変アドレス（ワードＮｏ．、ビットＮｏ．）状変方向（ＯＮ＝”１”、ＯＦＦ＝”０”）等の情報が、電力系統情報として保存されている。なお、欄外のＸは、その行の情報が削除される電力系統情報であることを示している。
データ削除チェック手段１６は、変電所Ｎｏ−削除フラグ対応ファイル２１を参照して、編集待ちデータファイル７に保存されたデータから、上記データ削除対象変電所に該当するデータを削除して、データ編集手段８に受け渡す。
【００２０】
データ削除チェック手段１６による処理を図３のフローチャートに基づいて以下に示す。
ｓ１において、編集待ちデータファイル７に保存されている全ての編集待ちデータをチェックする。実際のチェック処理については、以降ｓ２〜ｓ５で述べる。
編集待ちデータファイル７内の全ての編集待ちデータについてチェック完了したかどうか判定し（ｓ２）、完了していないときは、次点の編集待ちデータについて、その変電所Ｎｏ．の削除フラグが”１”かどうかを、変電所Ｎｏ−削除フラグ対応ファイル２１を参照して判定し（ｓ３）、該削除フラグが”１”でない場合（Ｎ）、当該編集待ちデータを削除せず、データ編集して電力設備データベース９へ保存するために、データ編集手段８に受け渡す（ｓ４）。またｓ３にて削除フラグが”１”である場合（Ｙ）は、編集待ちデータファイル７より当該編集待ちデータを削除し、電力設備データベース９へ保存しない（ｓ５）。
上記ｓ２〜ｓ５までの処理を繰り返し、全ての編集待ちデータを完了すると、ｓ２において、チェック完了が判定されて、処理を終了する。
【００２１】
このように、特定の変電所Ｎｏ．を入力することで監視・制御情報として不適な電力系統情報が削除される為、オペレータは正しい情報のみ確実に認識できる。また、全ての変電所Ｎｏ．にそれぞれ適／不適フラグとしての削除フラグを対応させた変電所Ｎｏ−削除フラグ対応ファイル２１を、設定された変電所Ｎｏ．から作成して備えたため、該対応ファイル２１を参照することで削除フラグを容易に取得できる。このため、編集待ちデータファイル７に保存されている編集待ちデータの妥当性をチェックして速やかに不適な情報を削除する処理フローが、単一のループで、簡易なものとでき、効率的な処理が行えると共に、ソフトウェアの保守管理性が向上する。
【００２２】
なお、上記実施の形態では、電力系統情報を変電所毎の情報として扱ったが、例えば、ガス絶縁開閉装置（ＧＩＳ）等の設備は関連する情報が非常に多く、設備単位に情報がまとめられて伝送されるもので、これら変電所以外のものを含んだ各設備機器毎の情報として電力系統情報を扱っても良く、その場合、電力系統情報で監視・制御情報としての適／不適を設備機器の種別で区分し、不適となる設備機器の種別を設定する。
【００２３】
実施の形態２．
次に、この発明の実施の形態２を図について説明する。図４はこの発明の実施の形態１による電力系統監視制御装置の構成図である。図において、１〜１４、および２１は、図１で示した上記実施の形態１のものと同じものである。電子計算機５は、基本ソフトにリレーショナルデータベース機能を有するものとし、２２は、リレーショナルデータベースのＪＯＩＮ機能を用いることにより、変電所Ｎｏ−削除フラグ対応ファイル２１と編集待ちデータファイル７とをＪＯＩＮさせて作成した仮想テーブルである編集待ちデータファイル−削除フラグＶiew、１６は編集待ちデータファイル−削除フラグＶiew２２に対して削除処理を行うことで、編集待ちデータファイル７に保存されたデータから、データ削除対象変電所に該当するデータを削除するデータ削除チェック手段である。
【００２４】
データ取り込み手段６にて電子計算機５内に取り込まれた電力系統情報は、一旦、編集待ちデータファイル７内に保持される。上記実施の形態１と同様に、オペレータが変電所Ｎｏ．を入力することにより、データ削除対象の変電所Ｎｏ．が削除データ設定手段１４にて設定され、この設定情報に基づいて、全ての変電所Ｎｏ．にそれぞれ適／不適フラグとしての削除フラグを対応させた変電所Ｎｏ−削除フラグ対応ファイル２１が作成される。変電所Ｎｏ−削除フラグ対応ファイル２１が作成されると、続いて、変電所Ｎｏ−削除フラグ対応ファイル２１と編集待ちデータファイル７とをＪＯＩＮさせて編集待ちデータファイル−削除フラグＶiew２２が作成される。
【００２５】
図２（ａ）で示した変電所Ｎｏ−削除フラグ対応ファイル２１と、図２（ｂ）で示した編集待ちデータファイル７とから作成された、編集待ちデータファイル−削除フラグＶiew２２の保存例を図５に示す。図５に示すように、編集待ちデータファイル−削除フラグＶiew２２内の各編集待ちデータには、削除フラグが付与されており、データ削除チェック手段１６は、削除フラグが”１”である編集待ちデータを削除する。欄外のＸは、その行の情報が削除される電力系統情報であることを示している。
これにより、仮想データである編集待ちデータファイル−削除フラグＶiew２２の元の編集待ちデータファイル７内においても、対応する編集待ちデータが自動的に削除され、削除されない編集待ちデータはデータ編集手段８に受け渡される。
【００２６】
データ削除チェック手段１６による処理を図６のフローチャートに基づいて以下に示す。
ｔ１において、編集待ちデータファイル−削除フラグＶiew２２に保存されている全ての編集待ちデータをチェックする。実際のチェック処理については、以降ｔ２〜ｔ５で述べる。
編集待ちデータファイル−削除フラグＶiew２２内の全ての編集待ちデータについてチェック完了したかどうか判定し（ｔ２）、完了していないときは、次点の編集待ちデータについて、付与された削除フラグが”１”かどうかを判定し（ｔ３）、該削除フラグが”１”でない場合（Ｎ）、当該編集待ちデータは削除されず、元の編集待ちデータファイル７内の対応する編集待ちデータは、電力設備データベース９に保存するためにデータ編集手段８に受け渡される（ｔ４）。またｔ３にて削除フラグが”１”である場合（Ｙ）は、編集待ちデータファイル−削除フラグＶiew２２より当該編集待ちデータを削除し、これにより、元の編集待ちデータファイル７内の対応する編集待ちデータが削除され、電力設備データベース９へ保存されない（ｔ５）。
上記ｔ２〜ｔ５までの処理を繰り返し、全ての編集待ちデータを完了すると、ｔ２において、チェック完了が判定されて、処理を終了する。
【００２７】
このように、特定の変電所Ｎｏ．を入力することで監視・制御情報として不適な電力系統情報が削除される為、オペレータは正しい情報のみ確実に認識できる。また、全ての変電所Ｎｏ．にそれぞれ適／不適フラグとしての削除フラグを対応させた変電所Ｎｏ−削除フラグ対応ファイル２１と、編集待ちデータファイル７とをリレーショナルデータベースのＪＯＩＮ機能により組み合わせて編集待ちデータファイル−削除フラグＶiew２２を作成した。これにより、編集待ちデータファイル−削除フラグＶiew２２以外に他のファイルを参照することなく、編集待ちデータファイル−削除フラグＶiew２２内に保存されている編集待ちデータの妥当性をチェックして速やかに不適な情報を削除できる。このため、処理フローが更に簡易となり、ソフトウェアの保守管理性も一層向上する。
【００２８】
実施の形態３．
次に、この発明の実施の形態３を図について説明する。図７はこの発明の実施の形態１による電力系統監視制御装置の構成図である。図において、１〜１４、および２１は、図１で示した上記実施の形態１のものと同じものである。電子計算機５は、基本ソフトにリレーショナルデータベース機能を有するものとし、リレーショナルデータベースのＪＯＩＮ機能とフィルタリング機能とを用いることにより、変電所Ｎｏ−削除フラグ対応ファイル２１と編集待ちデータファイル７とを組み合わせ、さらに、削除フラグが”１”のデータのみ抽出した削除データファイル２３、および削除フラグが”０”のデータのみ抽出した正常データファイル２４を仮想データとして作成して備える。１６は削除データファイル２３に対して削除処理を行うことで、編集待ちデータファイル７に保存されたデータから、データ削除対象変電所に該当するデータを削除するデータ削除チェック手段である。
【００２９】
データ取り込み手段６にて電子計算機５内に取り込まれた電力系統情報は、一旦、編集待ちデータファイル７内に保持される。上記実施の形態１と同様に、オペレータが変電所Ｎｏ．を入力することにより、データ削除対象の変電所Ｎｏ．が削除データ設定手段１４にて設定され、この設定情報に基づいて、全ての変電所Ｎｏ．にそれぞれ適／不適フラグとしての削除フラグを対応させた変電所Ｎｏ−削除フラグ対応ファイル２１が作成される。変電所Ｎｏ−削除フラグ対応ファイル２１が作成されると、続いて、変電所Ｎｏ−削除フラグ対応ファイル２１と編集待ちデータファイル７とをＪＯＩＮさせて編集待ちデータファイル−削除フラグＶiew２２が作成される。
【００３０】
図２（ａ）で示した変電所Ｎｏ−削除フラグ対応ファイル２１と、図２（ｂ）で示した編集待ちデータファイル７とから作成された、編集待ちデータファイル−削除フラグＶiew２２（図５参照）において、削除フラグが”０”のデータのみ抽出した正常データファイル２４を図８（ａ）に、削除フラグが”１”のデータのみ抽出した削除データファイル２３を図８（ｂ）に示す。欄外のＸは、その行の情報が削除される電力系統情報であることを示している。
データ削除チェック手段１６は、図９のフローチャートに示すように、削除データファイル２３内の全ての編集待ちデータを削除する。これにより、仮想データを作成した元の編集待ちデータファイル７内においても、対応する編集待ちデータが自動的に削除され、削除されない編集待ちデータはデータ編集手段８に受け渡される。
この実施の形態では、データ削除チェック手段１６は、作成された削除データファイル２３内の全データを削除するだけの処理を行えば良く、極めて単純な処理となり、ソフトウェアの保守管理性が極めて良好となる。
【００３１】
なお、図１０で示すように、削除データファイル２３に対して処理を行わず、正常データファイル２４内の編集待ちデータをそのまま、データ編集手段８に受け渡し、データ編集して電力設備データベース９に格納するようにしても良い。その場合、データ削除に係わるソフトウェア自体、即ちデータ削除チェック手段１６は不要であり、電子計算機５の構成も簡略化できる。
【００３２】
実施の形態４．
次に、この発明の実施の形態４を図について説明する。図１１はこの発明の実施の形態４による電力系統監視制御装置の構成図である。図において、１〜１４は、図１で示した上記実施の形態１のものと同じものである。また、この場合、電子計算機５は通常モードとしてのオンラインモードとテストモードとの２種の動作モードを有するものとし、２７は、計算機の動作モードを格納する計算機モードファイルである。２５は操作卓１０から入力されたテスト対象の変電所Ｎｏ．を設定するための第２の設定手段としてのテストデータ設定手段、２６は、第１の設定手段としての削除データ設定手段１４あるいはテストデータ設定手段２５にて設定された変電所Ｎｏ．に基づいて、全ての変電所にそれぞれフラグ（削除フラグあるいはテストデータフラグ）を対応させた変電所Ｎｏ−データ属性対応ファイルである。また、電子計算機５は、基本ソフトにリレーショナルデータベース機能を有するものとし、２８は、リレーショナルデータベースのＪＯＩＮ機能を用いることにより、変電所Ｎｏ−データ属性対応ファイル２６と編集待ちデータファイル７とをＪＯＩＮさせて作成した仮想テーブルである編集待ちデータファイル−データ属性Ｖiew、１６は編集待ちデータファイル−データ属性Ｖiew２８に対して削除処理を行うことで、編集待ちデータファイル７に保存されたデータから、対応するデータを削除するデータ削除チェック手段である。
【００３３】
データ取り込み手段６にて電子計算機５内に取り込まれた電力系統情報は、一旦、編集待ちデータファイル７内に保持される。オンラインモード（＝１）では、上記実施の形態１と同様に、オペレータが変電所Ｎｏ．を入力することにより、データ削除対象の変電所Ｎｏ．が削除データ設定手段１４にて設定される。この設定情報に基づいて、全ての変電所Ｎｏ．にそれぞれ適／不適フラグとしての削除フラグを対応させた変電所Ｎｏ−データ属性対応ファイル２６が作成される。このとき、テストデータフラグは全て初期状態”０”である。図１２（ａ）は、オンラインモード時における変電所Ｎｏ−データ属性対応ファイル２６の保存例であり、図１２（ｂ）は、図１２（ａ）の変電所Ｎｏ−データ属性対応ファイル２６と編集待ちデータファイル７とをＪＯＩＮさせて作成した編集待ちデータファイル−データ属性Ｖiew２８の保存例である。
【００３４】
一方、データベース変更後などのデータテスト時には、オペレータの入力により計算機モードファイル２７内の動作モードをテストモード（＝２）に設定し、オペレータが変電所Ｎｏ．を入力することにより、テストデータ対象の変電所Ｎｏ．がテストデータ設定手段２５にて設定される。この設定情報に基づいて、全ての変電所Ｎｏ．にそれぞれテストデータか否かを示すテストデータフラグを対応させた変電所Ｎｏ−データ属性対応ファイル２６が作成される。このとき、削除フラグは全て初期状態”０”である。図１３（ａ）は、テストモード時における変電所Ｎｏ−データ属性対応ファイル２６の保存例であり、図１３（ｂ）は、図１３（ａ）の変電所Ｎｏ−データ属性対応ファイル２６と編集待ちデータファイル７とをＪＯＩＮさせて作成した編集待ちデータファイル−データ属性Ｖiew２８の保存例である。
【００３５】
図１２（ｂ）および図１３（ｂ）に示すように、編集待ちデータファイル−データ属性Ｖiew２８内の各編集待ちデータには、削除フラグあるいはテストデータフラグが付与されており、データ削除チェック手段１６は、計算機モードファイル２７の動作モードと削除フラグあるいはテストデータフラグとに基づいて編集待ちデータを削除する。欄外のＸは、その行の情報が削除される電力系統情報であることを示している。
これにより、仮想データである編集待ちデータファイル−データ属性Ｖiew２８の元の編集待ちデータファイル７内においても、対応する編集待ちデータが自動的に削除され、削除されない編集待ちデータはデータ編集手段８に受け渡される。
【００３６】
データ削除チェック手段１６による処理を図１４のフローチャートに基づいて以下に示す。
ｕ１において、編集待ちデータファイル−データ属性Ｖiew２８に保存されている全ての編集待ちデータをチェックする。実際のチェック処理については、以降ｕ２〜ｕ５で述べる。
編集待ちデータファイル−データ属性Ｖiew２８内の全ての編集待ちデータについてチェック完了したかどうか判定し（ｕ２）、完了していないときは、次点の編集待ちデータについて、オンラインモード時では削除フラグが”１”かどうかを判定し、テストモード時ではテストデータフラグが”０”かどうかを判定し（ｕ３）、オンラインモードで削除フラグが”１”でない場合、あるいはテストモードでテストデータフラグが”０”でない場合（Ｎ）、当該編集待ちデータは削除されず、元の編集待ちデータファイル７内の対応する編集待ちデータは、電力設備データベース９に保存するためにデータ編集手段８に受け渡される（ｕ４）。またｕ３にてオンラインモードで削除フラグが”１”である場合、あるいはテストモードでテストデータフラグが”０”である場合（Ｙ）は、編集待ちデータファイル−データ属性Ｖiew２８より当該編集待ちデータを削除し、これにより、元の編集待ちデータファイル７内の対応する編集待ちデータが削除され、電力設備データベース９へ保存されない（ｕ５）。
上記ｕ２〜ｕ５までの処理を繰り返し、全ての編集待ちデータを完了すると、ｕ２において、チェック完了が判定されて、処理を終了する。
【００３７】
この実施の形態では、上記実施の形態１〜３で示した通常のオンラインモード時の不適なデータの削除だけでなく、データテスト時のテストモードを設定し、テスト対象の変電所Ｎｏ．を設定することで、編集待ちデータファイル７に保存されている編集待ちデータの中からテストデータとなるもの以外を速やかに削除することができ、データテスト時には、オペレータはテストデータのみを確実に認識できる。
【００３８】
実施の形態５．
上記実施の形態４では、削除フラグとテストデータフラグは、別のカラムに格納される別個のものとしたが、共に有効／無効を示す有効フラグとして表すことができ、そのときの編集待ちデータファイル−データ属性Ｖiew２８を図１５に示す。なお、削除フラグでは”１”の時に削除対象としたが、有効フラグでは”０”が無効データとして削除対象となる。テストデータフラグはそのまま有効フラグに用いる。
図１５に示すように、編集待ちデータファイル−データ属性Ｖiew２８内の各編集待ちデータには、有効フラグが付与されており、データ削除チェック手段１６は、計算機モードファイル２７の動作モードに拘わらず、有効フラグが”０”の編集待ちデータを無効データとして削除する。欄外のＸは、その行の情報が削除される電力系統情報であることを示している。
これにより、仮想データである編集待ちデータファイル−データ属性Ｖiew２８の元の編集待ちデータファイル７内においても、対応する編集待ちデータが自動的に削除され、削除されない編集待ちデータはデータ編集手段８に受け渡される。
【００３９】
データ削除チェック手段１６による処理を図１６のフローチャートに基づいて以下に示す。
ｖ１において、編集待ちデータファイル−データ属性Ｖiew２８に保存されている全ての編集待ちデータをチェックする。実際のチェック処理については、以降ｖ２〜ｖ５で述べる。
編集待ちデータファイル−データ属性Ｖiew２８内の全ての編集待ちデータについてチェック完了したかどうか判定し（ｖ２）、完了していないときは、次点の編集待ちデータについて、有効フラグが”０”かどうかを判定し（ｖ３）、”０”でない場合（Ｎ）、当該編集待ちデータは削除されず、元の編集待ちデータファイル７内の対応する編集待ちデータは、電力設備データベース９に保存するためにデータ編集手段８に受け渡される（ｖ４）。またｖ３にて有効フラグが”０”である場合（Ｙ）は、編集待ちデータファイル−データ属性Ｖiew２８より当該編集待ちデータを削除し、これにより、元の編集待ちデータファイル７内の対応する編集待ちデータが削除され、電力設備データベース９へ保存されない（ｖ５）。
上記ｖ２〜ｖ５までの処理を繰り返し、全ての編集待ちデータを完了すると、ｖ２において、チェック完了が判定されて、処理を終了する。
【００４０】
この実施の形態では、削除フラグとテストデータフラグが同種の有効フラグで集約されているため、計算機モードを参照することなく、削除すべきデータかどうかを容易に判定できるため、速やかに不適な情報を削除する処理フローが、簡易なものとでき、効率的な処理が行えると共に、ソフトウェアの保守管理性が向上する。
【００４１】
【発明の効果】
以上のようにこの発明に係る請求項１記載の電力系統監視制御装置は、電力系統情報で監視・制御情報としての適／不適を設備機器の種別で区分し、当該不適となる設備機器の種別を外部から設定する手段と、該設定情報に基づいて作成され、各設備機器にそれぞれ適／不適フラグを対応させた対応ファイルと、監視制御部から取り込んだ上記電力系統情報をデータ編集に先立って、上記対応ファイルを参照して不適なものを削除するデータ削除チェック手段とを情報処理部に備え、監視・制御情報に適する電力系統情報のみ電力設備データベースに保持するため、電力系統情報の妥当性をチェックして速やかに不適な情報を削除する処理が、効率的に簡易に行うことができ、ソフトウェアの保守管理性が向上する。
【００４２】
また、この発明に係る請求項２記載の電力系統監視制御装置は、通常モード／テストモードの２種の動作モードと、電力系統情報で監視・制御情報としての適／不適を設備機器の種別で区分し、当該不適となる設備機器の種別を外部から設定する第１の設定手段と、上記電力系統情報のテストデータを設備機器の種別で外部から設定する第２の設定手段と、上記通常モードの時には、上記第１の設定手段による設定情報に基づいて各設備機器にそれぞれ適／不適フラグを対応させ、上記テストモードの時には、上記第２の設定手段に基づいて各設備機器にそれぞれテストデータか否かのフラグを対応させて作成した対応ファイルと、監視制御部から取り込んだ上記電力系統情報をデータ編集に先立って、上記対応ファイルを参照して削除するデータ削除チェック手段とを情報処理部に備え、通常モードでは監視・制御情報に適する電力系統情報のみ電力設備データベースに保持し、テストモードでは、テストデータである電力系統情報のみ上記電力設備データベースに保持するため、通常時には電力系統情報の妥当性をチェックして速やかに不適な情報を削除し、データテスト時にはテストデータのみ残して他を削除する処理が、効率的に簡易に行うことができ、ソフトウェアの保守管理性が向上する。
【００４３】
また、この発明に係る請求項３記載の電力系統監視制御装置は、請求項２において、各動作モード時に作成された対応ファイルにおいて、適／不適フラグとテストデータか否かのフラグとを、共に有効／無効を示す同種のフラグで表し、データ削除チェック手段は、動作モードに拘わらず上記対応ファイルを参照して無効フラグに対応する電力系統情報を削除するため、削除すべき情報かどうかを容易に判定でき、情報を削除する処理が、より効率的で簡易なものとでき、ソフトウェアの保守管理性がさらに向上する。
【００４４】
また、この発明に係る請求項４記載の電力系統監視制御装置は、請求項１〜３のいずれかにおいて、情報処理部の基本ソフトがリレーショナルデータベース機能を有し、監視制御部から取り込んだ電力系統情報の編集待ちファイルと、各設備機器にそれぞれフラグを対応させた対応ファイルとを、上記リレーショナルデータベースのＪＯＩＮ機能により組み合わせた編集待ちファイル−フラグＶiewを備え、データ削除チェック手段は該編集待ちファイル−フラグＶiewに対して操作することで所望の電力系統情報を削除するため、データ削除チェック手段は上記編集待ちファイル−フラグＶiewのみを参照することで、電力系統情報の妥当性をチェックして速やかに不適な情報を削除することができ、情報を削除する処理が、より効率的で簡易なものとでき、ソフトウェアの保守管理性がさらに向上する。
【００４５】
また、この発明に係る請求項５記載の電力系統監視制御装置は、請求項１〜３のいずれかにおいて、情報処理部の基本ソフトがリレーショナルデータベース機能を有し、該リレーショナルデータベースのＪＯＩＮ機能およびフィルタリング機能により、監視制御部から取り込んだ電力系統情報の編集待ちファイルと、各設備機器にそれぞれフラグを対応させた対応ファイルとから、編集待ち正常データファイルおよび削除データファイルを作成して備え、データ削除チェック手段は該削除データファイル内を全て削除することで所望の電力系統情報を削除するため、データ削除チェック手段は極めて単純な処理で速やかに不適な情報を削除することができ、ソフトウェアの保守管理性が極めて良好となる。
【００４６】
また、この発明に係る請求項６記載の電力系統監視制御装置は、電力系統情報で監視・制御情報としての適／不適を設備機器の種別で区分し、当該不適となる設備機器の種別を外部から設定する手段と、該設定情報に基づいて作成され、各設備機器にそれぞれ適／不適フラグを対応させた対応ファイルと、該対応ファイル、および監視制御部から取り込んだ上記電力系統情報の編集待ちファイルから、基本ソフトが有するリレーショナルデータベースのＪＯＩＮ機能およびフィルタリング機能により作成された、編集待ち正常データファイルおよび削除データファイルとを情報処理部に備え、該編集待ち正常データファイル内の電力系統情報のみデータ編集を施して上記電力設備データベースに保持するため、電力系統情報の妥当性のチェックおよび不適な情報の削除のための個別のソフトウェアが不要となり、情報処理部が簡略化でき、保守管理性も向上する。
【図面の簡単な説明】
【図１】  この発明の実施の形態１による電力系統監視制御装置の構成図である。
【図２】  この発明の実施の形態１による電力系統監視制御装置で用いるファイルの保存例を示したものである。
【図３】  この発明の実施の形態１によるデータ削除チェック手段の処理を示すフローチャートである。
【図４】  この発明の実施の形態２による電力系統監視制御装置の構成図である。
【図５】  この発明の実施の形態２による電力系統監視制御装置で用いるファイルの保存例を示したものである。
【図６】  この発明の実施の形態２によるデータ削除チェック手段の処理を示すフローチャートである。
【図７】  この発明の実施の形態３による電力系統監視制御装置の構成図である。
【図８】  この発明の実施の形態３による電力系統監視制御装置で用いるファイルの保存例を示したものである。
【図９】  この発明の実施の形態３によるデータ削除チェック手段の処理を示すフローチャートである。
【図１０】  この発明の実施の形態３の別例による電力系統監視制御装置の構成図である。
【図１１】  この発明の実施の形態４による電力系統監視制御装置の構成図である。
【図１２】  この発明の実施の形態４による電力系統監視制御装置で用いるファイルの保存例を示したものである。
【図１３】  この発明の実施の形態４による電力系統監視制御装置で用いるファイルの保存例を示したものである。
【図１４】  この発明の実施の形態４によるデータ削除チェック手段の処理を示すフローチャートである。
【図１５】  この発明の実施の形態５による電力系統監視制御装置で用いるファイルの保存例を示したものである。
【図１６】  この発明の実施の形態５によるデータ削除チェック手段の処理を示すフローチャートである。
【図１７】  従来の電力系統監視制御装置の構成図である。
【図１８】  従来の電力系統監視制御装置で用いるファイルの保存例を示したものである。
【図１９】  従来の電力系統監視制御装置におけるデータ削除チェック手段の処理を示すフローチャートである。
【符号の説明】
１  監視制御部としての遠方監視制御装置、
５  情報処理部としての電子計算機、６  データ取り込み手段、
７  編集待ちデータファイル、８  データ編集手段、
９  電力設備データベース、
１４  第１の設定手段としての削除データ設定手段、
１６  データ削除チェック手段、２１  変電所Ｎｏ−削除フラグ対応ファイル、
２２  編集待ちデータファイル−削除フラグＶiew、
２３  削除データファイル、２４  正常データファイル、
２５  第２の設定手段としてのテストデータ設定手段、
２６  変電所Ｎｏ−データ属性対応ファイル、２７  計算機モードファイル、
２８  編集待ちデータファイル−データ属性Ｖiew。
【図１】
0003842154.tif 000002
【図２】
0003842154.tif 000003
【図３】
0003842154.tif 000004
【図４】
0003842154.tif 000005
【図５】
0003842154.tif 000006
【図６】
0003842154.tif 000007
【図７】
0003842154.tif 000008
【図８】
0003842154.tif 000009
【図９】
0003842154.tif 000010
【図１０】
0003842154.tif 000011
【図１１】
0003842154.tif 000012
【図１２】
0003842154.tif 000013
【図１３】
0003842154.tif 000014
【図１４】
0003842154.tif 000015
【図１５】
0003842154.tif 000016
【図１６】
0003842154.tif 000017
【図１７】
0003842154.tif 000018
【図１８】
0003842154.tif 000019
【図１９】
0003842154.tif 000020